(57)【特許請求の範囲】
【請求項１】
撮像装置と、該撮像装置からのライブビュー画像を表示する外部装置とが通信可能に構成された撮像システムであって、
前記撮像装置は、
ズームレンズを含む撮影光学系を通過して形成された被写体像を撮像する撮像手段と、
前記ズームレンズの位置についての情報と、前記ズームレンズの位置を前記撮影光学系の光軸方向に駆動可能な駆動装置が装着されているか否かを示す情報とを取得する取得手段と、
前記撮像手段により得られるライブビュー画像に、該ライブビュー画像が撮像された時点の前記ズームレンズの位置についての情報を付帯させて前記外部装置に送信する送信手段と、を有し、
前記外部装置は、
ライブビュー画像と、該ライブビュー画像に付帯する前記ズームレンズの位置についての情報と、前記駆動装置が装着されているか否かを示す情報とを前記撮像装置から受信する受信手段と、
前記ライブビュー画像を表示する表示手段と、
前記撮像装置に前記ズームレンズの移動開始および停止を指示する指示手段と、
前記指示手段により前記ズームレンズの移動開始が指示された後で前記ズームレンズの停止が指示された場合に、前記ズームレンズの停止が指示された時点で前記表示手段に表示されていたライブビュー画像に付帯する前記ズームレンズの位置についての情報と対応する前記ズームレンズの位置を目標位置として指定する指定手段と、
前記受信手段により受信した、前記駆動装置が装着されているか否かを示す情報に基づいて、前記駆動装置が装着されていると判定され、且つ、前記指示手段により前記ズームレンズの移動開始および停止の指示がされている場合、前記指示手段による前記ズームレンズの移動開始および停止の指示を前記撮像装置を介して前記駆動装置に送信し、前記受信手段により受信した、前記駆動装置が装着されているか否かを示す情報に基づいて、前記駆動装置が装着されていると判定され、且つ、前記指定手段により前記目標位置が指定されている場合、前記目標位置に関する情報を前記撮像装置を介して前記駆動装置に送信する送信手段と、
を有することを特徴とする撮像システム。
【請求項２】
前記外部装置は、前記撮像装置から送信されたライブビュー画像に付帯する前記ズームレンズの位置についての情報を記憶する記憶手段をさらに備えることを特徴とする請求項１に記載の撮像システム。
【請求項３】
前記記憶手段は、前記ズームレンズの停止が指示された時点で前記表示手段に表示されていたライブビュー画像に付帯する前記ズームレンズの位置についての情報を記憶することを特徴とする請求項２に記載の撮像システム。
【請求項４】
前記撮像装置は、前記指示手段からの前記ズームレンズの停止の指示を受信した時点での前記ズームレンズの位置から、前記指定手段により指定された位置まで前記ズームレンズを移動させることを特徴とする請求項１乃至３のいずれか１項に記載の撮像システム。
【請求項５】
前記外部装置は、前記ズームレンズの位置を前記指定手段により指定された位置まで戻す間は、前記ライブビュー画像の表示を更新しないことを特徴とする請求項４に記載の撮像システム。
【請求項６】
撮像装置と通信可能な外部装置であって、
ライブビュー画像と、該ライブビュー画像に付帯されるズームレンズの位置についての情報と、前記ズームレンズの位置を撮影光学系の光軸方向に駆動可能な駆動装置が装着されているか否かを示す情報とを前記撮像装置から受信する受信手段と、
前記ライブビュー画像を表示する表示手段と、
前記撮像装置にズームレンズの移動開始および停止を指示する指示手段と、
前記指示手段により前記ズームレンズの移動開始が指示された後で前記ズームレンズの停止が指示された場合に、前記ズームレンズの停止が指示された時点で前記表示手段に表示されていたライブビュー画像に付帯する前記ズームレンズの位置についての情報と対応する前記ズームレンズの位置を目標位置として指定する指定手段と、
前記受信手段により受信した、前記駆動装置が装着されているか否かを示す情報に基づいて、前記駆動装置が装着されていると判定され、且つ、前記指示手段により前記ズームレンズの移動開始および停止の指示がされている場合、前記指示手段による前記ズームレンズの移動開始および停止の指示を前記撮像装置を介して前記駆動装置に送信し、前記受信手段により受信した、前記駆動装置が装着されているか否かを示す情報に基づいて、前記駆動装置が装着されていると判定され、且つ、前記指定手段により前記目標位置が指定されている場合、前記目標位置に関する情報を前記撮像装置を介して前記駆動装置に送信する送信手段と、
を備えることを特徴とする外部装置。
【請求項７】
前記撮像装置から送信されたライブビュー画像に付帯される前記ズームレンズの位置についての情報を記憶する記憶手段をさらに備えることを特徴とする請求項６に記載の外部装置。
【請求項８】
前記記憶手段は、前記ズームレンズの停止が指示された時点で前記表示手段に表示されていたライブビュー画像に付帯される前記ズームレンズの位置についての情報を記憶することを特徴とする請求項７に記載の外部装置。
【請求項９】
前記外部装置は、前記撮像装置が前記指示手段からの前記ズームレンズの停止の指示を受信した時点での前記ズームレンズの位置から、前記指定手段により指定された位置まで前記ズームレンズの位置を戻す間は、ライブビュー画像の表示を更新しないことを特徴とする請求項８に記載の外部装置。
【請求項１０】
ユーザから、前記ズームレンズの移動開始および停止を指示する操作を受け付ける操作手段を備え、
前記指示手段は、前記操作手段により受け付けたユーザからの指示に基づいて前記撮像装置に前記ズームレンズの移動開始および停止を指示し、
前記受信手段により受信した、前記駆動装置が装着されているか否かを示す情報に基づいて、前記駆動装置が装着されていないと判断すると、前記操作手段はユーザからの前記ズームレンズの移動開始および停止を指示する操作の受け付けを停止することを特徴とする請求項６乃至９のいずれか１項に記載の外部装置。
【請求項１１】
前記駆動装置が装着されていないと判断されると、前記表示手段はユーザからの前記ズームレンズの移動開始および停止の操作の受付を停止していることをユーザに通知することを特徴とする請求項１０に記載の外部装置。
【請求項１２】
ズームレンズを含む撮影光学系を通過して形成された被写体像を撮像する撮像手段と、
前記ズームレンズの位置についての情報と、前記ズームレンズの位置を前記撮影光学系の光軸方向に駆動可能な駆動装置が装着されているか否かを示す情報とを取得する取得手段と、
前記撮像手段により得られるライブビュー画像に、該ライブビュー画像が撮像された時点の前記ズームレンズの位置についての情報を付帯させた情報と、前記駆動装置が装着されているか否かを示す情報とを外部装置に送信する第１の送信手段と、
前記外部装置から、前記外部装置において前記ズームレンズの停止が指示された時点で前記外部装置の表示手段に表示されていたライブビュー画像に付帯する前記ズームレンズの位置についての情報を受信する受信手段と、
前記受信手段により受信した位置まで前記ズームレンズの位置を移動させる指示を前記駆動装置に送信する第２の送信手段と、
を備えることを特徴とする撮像装置。
【請求項１３】
前記撮像装置は、前記外部装置からの前記ズームレンズの停止の指示を受信した時点での前記ズームレンズの位置から、前記受信手段により受信した前記ズームレンズの位置まで前記ズームレンズの位置を移動させるように制御することを特徴とする請求項１２に記載の撮像装置。
【請求項１４】
前記取得手段により取得した前記駆動装置が装着されているか否かを示す情報に基づいて、前記駆動装置が装着されていると判断された場合、前記駆動装置の駆動状態に関する情報を取得することを特徴とする請求項１２または1３に記載の撮像装置。
【請求項１５】
前記駆動装置は、前記撮像装置に装着されたレンズ装置を介して前記撮像装置に装着されており、前記取得手段は、前記駆動装置が装着されているか否かを示す情報を前記レンズ装置から取得することを特徴とする請求項１２乃至１４のいずれか１項に記載の撮像装置。
【請求項１６】
外部装置にライブビュー画像を送信する撮像装置に装着されるとともに、ズームレンズを移動するための駆動手段を備えた駆動装置が装着されるレンズユニットであって、
前記ズームレンズと、
前記撮像装置から前記ズームレンズの位置についての情報を通知する指示を受けて、前記ズームレンズの位置についての情報を前記撮像装置を介して前記外部装置に通知する第１の通知手段と、
前記外部装置からの前記ズームレンズの移動開始の指示および停止の指示を前記撮像装置を介して受信し、前記駆動装置に通知する第２の通知手段と、
前記駆動装置が装着されているか否かを示す情報を前記撮像装置に通知する第３の通知手段と、
を備え、
前記撮像装置から前記ズームレンズの位置が指定された場合、当該位置まで前記ズームレンズの位置を移動させるように前記第２の通知手段を介して前記駆動装置に通知し、
前記ズームレンズの位置についての情報は、前記撮像装置で前記ライブビュー画像に付帯されて前記外部装置へ送信され、
前記駆動装置が装着されているか否かを示す情報は、前記撮像装置を介して前記外部装置へ送信されることを特徴とするレンズユニット。
【請求項１７】
前記ズームレンズの位置を検出するためのズームエンコーダをさらに備えることを特徴とする請求項１６に記載のレンズユニット。
【請求項１８】
ズームレンズを備えたレンズユニットを介して撮像装置に装着される駆動装置であって、
前記レンズユニットを介して前記撮像装置から前記ズームレンズの移動開始の指示と、前記ズームレンズの移動停止の指示と、指定された位置まで前記ズームレンズを移動させる指示とを受けて前記ズームレンズを駆動する駆動手段を備え、
前記ズームレンズの移動開始の指示と前記ズームレンズの移動停止の指示とは、
ライブビュー画像と、該ライブビュー画像に付帯されるズームレンズの位置についての情報と、前記ズームレンズの位置を撮影光学系の光軸方向に駆動可能な前記駆動装置が装着されているか否かを示す情報とを前記撮像装置から受信する受信手段と、前記ライブビュー画像を表示する表示手段とを備える外部装置が、前記駆動装置が装着されているか否かを示す情報に基づいて、前記駆動装置が装着されていると判定し、且つ、前記外部装置が備える指示手段により前記ズームレンズの移動開始および停止の指示がされている場合に、前記外部装置から前記撮像装置と前記レンズユニットとを介して入力され、
前記指定された位置までズームレンズを移動させる指示は、
前記外部装置が、前記駆動装置が装着されていると判定し、且つ、前記指示手段により前記ズームレンズの移動開始が指示された後で前記ズームレンズの停止が指示された場合に、前記ズームレンズの停止が指示された時点で前記表示手段に表示されていたライブビュー画像に付帯する前記ズームレンズの位置についての情報と対応する前記ズームレンズの位置を目標位置として指定する指定手段により前記目標位置が指定されている場合に、前記外部装置から前記撮像装置と前記レンズユニットとを介して入力される
ことを特徴とする駆動装置。
【請求項１９】
コンピュータに、撮像装置と通信可能な外部装置の制御方法の各工程を実行させるためのプログラムであって、
ライブビュー画像と、該ライブビュー画像に付帯されるズームレンズの位置についての情報と、前記ズームレンズの位置を撮影光学系の光軸方向に駆動可能な駆動装置が装着されているか否かを示す情報とを前記撮像装置から受信する受信手段と、前記ライブビュー画像を表示する表示手段と、前記撮像装置にズームレンズの移動開始および停止を指示する指示手段と、を備える外部装置の制御方法が、
前記指示手段により前記ズームレンズの移動開始が指示された後で前記ズームレンズの停止が指示された場合に、前記ズームレンズの停止が指示された時点で前記表示手段に表示されていたライブビュー画像に付帯する前記ズームレンズの位置についての情報と対応する前記ズームレンズの位置を目標位置として指定する指定工程と、
前記受信手段により受信した、前記駆動装置が装着されているか否かを示す情報に基づいて、前記駆動装置が装着されていると判定され、且つ、前記指示手段により前記ズームレンズの移動開始および停止の指示がされている場合、前記指示手段による前記ズームレンズの移動開始および停止の指示を前記撮像装置を介して前記駆動装置に送信し、前記受信手段により受信した、前記駆動装置が装着されているか否かを示す情報に基づいて、前記駆動装置が装着されていると判定され、且つ、前記指定工程により前記目標位置が指定されている場合、前記目標位置に関する情報を前記撮像装置を介して前記駆動装置に送信する送信工程と、
を有することを特徴とするプログラム。
【発明の詳細な説明】
【技術分野】
【０００１】
本発明は、撮像素子により画像を取得する撮像装置と、その撮像装置から画像を受信してライブビュー表示する外部機器とを備えた撮像システムに関するものである。
【背景技術】
【０００２】
デジタルカメラのズームの方法として、リング部材などの操作によりズームレンズを手動で移動させるのではなく、モーターを用いてズームレンズを移動させる電動ズームを用いることが知られている。例えば、コンパクトデジタルカメラでは、ボタン部材やスライド部材の操作によりズームを制御する方法などが用いられている。また、一眼レフカメラでは、パワーズーム機能を有するレンズを用いたり、通常のズームレンズにズームアダプターを取り付けたりすることにより、電動ズームを実現することができる。
【０００３】
その一方で、遠隔操作端末でデジタルカメラのズーム制御を行うことが想定される。この場合、通信にある程度時間がかかるため、操作部材によりズームの停止を指示してから実際にズームが停止するまでにタイムラグが発生してしまう。
【０００４】
特許文献１には、カメラが遠隔操作端末に基準画像を送信し、基準画像に対するズーム倍率等の情報を遠隔操作端末から受信し、指定されたズーム倍率となるようにレンズを駆動するという技術が開示されている。このように基本画像からのズーム倍率を指定したズーム制御を行えば、遠隔制御による通信タイムラグを気にすることなくユーザの意図するズーム倍率にズームを制御することが出来る。
【先行技術文献】
【特許文献】
【０００５】
【特許文献１】特開２０１４−１５４９０５号公報
【発明の概要】
【発明が解決しようとする課題】
【０００６】
しかしながら、上述の特許文献１に開示された従来技術では、遠隔制御によるズーム倍率のズレは発生しないが、ズーム制御を行うための基準画像を送信する必要がある。また、ズームインする場合は、基準画像を作成するためにわざわざ光学的にズームを動かし広角の画像を取得しなければならない。そのため、ユーザにとっては使い勝手の良いものではない。
【０００７】
本発明は上述した課題に鑑みてなされたものであり、その目的は、遠隔制御によりズーム制御を行う場合に、ユーザの意図する構図に正確に合わせられるようにズームを制御することを可能にしたシステムを提供することである。
【課題を解決するための手段】
【０００８】
本発明に係わる撮像システムは、撮像装置と、該撮像装置からのライブビュー画像を表示する外部装置とが通信可能に構成された撮像システムであって、前記撮像装置は、ズームレンズを含む撮影光学系を通過して形成された被写体像を撮像する撮像手段と、前記ズームレンズの位置についての情報と、前記ズームレンズの位置を前記撮影光学系の光軸方向に駆動可能な駆動装置が装着されているか否かを示す情報とを取得する取得手段と、前記撮像手段により得られるライブビュー画像に、該ライブビュー画像が撮像された時点の前記ズームレンズの位置についての情報を付帯させて前記外部装置に送信する送信手段と、を有し、前記外部装置は、ライブビュー画像と、該ライブビュー画像に付帯する前記ズームレンズの位置についての情報と、前記駆動装置が装着されているか否かを示す情報とを前記撮像装置から受信する受信手段と、前記ライブビュー画像を表示する表示手段と、前記撮像装置に前記ズームレンズの移動開始および停止を指示する指示手段と、前記指示手段により前記ズームレンズの移動開始が指示された後で前記ズームレンズの停止が指示された場合に、前記ズームレンズの停止が指示された時点で前記表示手段に表示されていたライブビュー画像に付帯する前記ズームレンズの位置についての情報と対応する前記ズームレンズの位置を目標位置として指定する指定手段と、前記受信手段により受信した、前記駆動装置が装着されているか否かを示す情報に基づいて、前記駆動装置が装着されていると判定され、且つ、前記指示手段により前記ズームレンズの移動開始および停止の指示がされている場合、前記指示手段による前記ズームレンズの移動開始および停止の指示を前記撮像装置を介して前記駆動装置に送信し、前記受信手段により受信した、前記駆動装置が装着されているか否かを示す情報に基づいて、前記駆動装置が装着されていると判定され、且つ、前記指定手段により前記目標位置が指定されている場合、前記目標位置に関する情報を前記撮像装置を介して前記駆動装置に送信する送信手段と、を有することを特徴とする。
【発明の効果】
【０００９】
本発明によれば、遠隔制御によりズーム制御を行う場合に、ユーザの意図する構図に正確に合わせられるようにズームを制御することを可能にしたシステムを提供することができる。
【図面の簡単な説明】
【００１０】
【図１】本発明の第１の実施形態の撮像システムの構成を示す模式図。
【図２】第１の実施形態におけるレンズユニットの構成を示すブロック図。
【図３】第１の実施形態におけるデジタルカメラの構成を示すブロック図。
【図４】第１の実施形態のデジタルカメラの背面側の外観図。
【図５】第１の実施形態におけるパワーズームアダプターの構成を示すブロック図。
【図６】第１の実施形態における携帯端末の構成を示すブロック図。
【図７】第１の実施形態における携帯端末を利用したリモートライブビュー表示アプリケーションの操作及び表示画面の例を示す図。
【図８】第１の実施形態における携帯端末を利用したリモートライブビュー表示を行う全体システムの例を示す図。
【図９】携帯端末を利用したリモートライブビュー表示アプリケーションでのズーム制御の操作遅延の例を示す図。
【図１０Ａ】第１の実施形態における携帯端末を利用したリモートライブビュー表示アプリケーションでのズーム制御シーケンスを示すフローチャート。
【図１０Ｂ】第１の実施形態における携帯端末を利用したリモートライブビュー表示アプリケーションでのズーム制御シーケンスを示すフローチャート。
【図１０Ｃ】第１の実施形態における携帯端末を利用したリモートライブビュー表示アプリケーションでのズーム制御シーケンスを示すフローチャート。
【図１０Ｄ】第１の実施形態における携帯端末を利用したリモートライブビュー表示アプリケーションでのズーム制御シーケンスを示すフローチャート。
【図１０Ｅ】第１の実施形態における携帯端末を利用したリモートライブビュー表示アプリケーションでのズーム制御シーケンスを示すフローチャート。
【図１０Ｆ】第１の実施形態における携帯端末を利用したリモートライブビュー表示アプリケーションでのズーム制御シーケンスを示すフローチャート。
【図１０Ｇ】第１の実施形態における携帯端末を利用したリモートライブビュー表示アプリケーションでのズーム制御シーケンスを示すフローチャート。
【図１０Ｈ】第１の実施形態における携帯端末を利用したリモートライブビュー表示アプリケーションでのズーム制御シーケンスを示すフローチャート。
【図１１】第２の実施形態における携帯端末を利用したリモートライブビュー表示アプリケーションでのズーム制御シーケンスを示すフローチャート。
【発明を実施するための形態】
【００１１】
以下、本発明の実施形態について、添付図面を参照して詳細に説明する。
【００１２】
（第１の実施形態）
＜撮像システムの構成＞
本実施形態では、撮像装置と携帯端末とを無線で通信可能に接続し、携帯端末から撮像装置の撮影動作を制御する撮像システムについて説明する。図１は、本実施形態の撮像システムの構成を示す模式図である。
【００１３】
図１において、レンズ交換式の撮像装置であるデジタル一眼レフカメラ１０１（以下、デジタルカメラと称する）を用いた撮像システムを示している。レンズユニット１０２はデジタルカメラ１０１に着脱可能に装着される。パワーズームアダプター１０３はレンズユニット１０２に着脱可能に装着される。パワーズームアダプター１０３は、モーターを内蔵し、歯車等の機械的なカップリングによりレンズユニット１０２のズームレンズを電動で駆動（電動ズーム）することができる。スマートフォン等の携帯端末１０６は、デジタルカメラ１０１に対して外部機器として遠隔コントロールを行う。デジタルカメラ１０１と携帯端末１０６とは、アクセスポイント１０４を経由して接続を行うインフラストラクチャーモードにより画像データを含む各種信号の送受信が可能である。なお、デジタルカメラ１０１と携帯端末１０６との接続方式は、アクセスポイント１０４を利用せずに機器同士でネットワークを構築するアドホックモード等であってもよい。遠隔コントロールとは、デジタルカメラ１０１で撮影される被写体１０５の画像を携帯端末１０６側で確認するとともに、携帯端末１０６側でズーム指示を行ったりする動作のことである。携帯端末１０６側でズーム指示を行う場合は、デジタルカメラ１０１に信号を送信し、レンズユニット１０２を介してパワーズームアダプター１０３にズーム指示を送る。パワーズームアダプター１０３はそのズーム指示に基づきレンズユニット１０２のズームレンズ群を駆動する。
【００１４】
＜レンズユニットの構成＞
図２は、被写体像を形成するレンズユニット（撮影光学系）１０２の構成を示すブロック図である。図２において、ズームレンズ群１は光軸方向に移動することにより焦点距離を変更し、フォーカスレンズ群３は光軸方向に移動することによりピント位置を変更する。ここでは説明の便宜上レンズユニット１０２内のレンズをこれらの２つのレンズ群で代表して示しているが、実際は更に多数のレンズ群から構成される。絞り２は、レンズ群１，３を通過する光量を調整する。焦点調節回路１３は、フォーカスレンズ群３を駆動して、焦点調節を行う。
【００１５】
絞り駆動回路１４は、レンズ群１，３の間に配置された絞り２を駆動する。ズームエンコーダ３２は、ズームレンズ群１の光軸方向における位置を検出する。アダプター通信部３１は、パワーズームアダプター１０３のレンズ通信部５０４（図５参照）と通信を行う。これにより、レンズユニット１０２とパワーズームアダプター１０３の間で制御コマンドを送受信することが可能となる。具体的には、携帯端末１０６からデジタルカメラ１０１を介して通知されたズーム制御指示をパワーズームアダプター１０３に送信したり、パワーズームアダプター１０３の状態を受信したりする。
【００１６】
ＣＰＵ３５は、レンズユニット１０２の各部の制御を司る中央演算処理装置である。ＲＡＭ３３は、ＣＰＵ３５の作業領域として用いられる。ＲＯＭ３４は、レンズユニット１０２を制御するための制御プログラム等が格納されている。カメラ通信部３６は、デジタルカメラ１０１と通信を行う。これにより、レンズユニット１０２とデジタルカメラ１０１の間で制御コマンドを送受信することが可能となる。具体的には、レンズユニット１０２の状態をデジタルカメラ１０１に送信したり、携帯端末１０６からデジタルカメラ１０１に通知されたズーム制御指示をデジタルカメラ１０１から受信したりする。
【００１７】
＜デジタルカメラの構成＞
図３は、本実施形態におけるデジタルカメラ１０１の構成を示すブロック図である。図３において、主ミラー４は、光学ファインダによる被写体像の観察状態か否かに応じて撮影光路に対して傾斜状態或いは退避状態に配置される。サブミラー５は、主ミラー４を通過した光束をカメラ筐体の下方に位置する焦点検出用のレンズ系１１及びラインセンサ１２に向けて反射する。６はシャッタである。撮像素子７は、ＣＣＤ型撮像素子或いはＣＭＯＳ型撮像素子が用いて構成される。液晶表示部８は、ファインダ内に内蔵され、レンズ群１，３の予定結像面に配置されたピント板及び測距枠のマーク等を表示する。ペンタプリズム９は、ファインダ光路変更用のプリズムである。Ａ／Ｄ変換回路２９は、ファインダ光路系の上部に配置された測光回路の出力をＡ／Ｄ変換する。１０は接眼レンズであり、これを介してユーザは被写体を観察することができる。
【００１８】
ミラー駆動回路１５は、主ミラー４を駆動する。ラインセンサ駆動回路１６は、ラインセンサ１２を駆動する。焦点検出用のレンズ系１１を介して入射した光束はラインセンサ１２で光電変換され、位相差検出方式の焦点検出が行われる。シャッタ駆動回路１７は、シャッタ６を駆動する。撮像素子駆動回路１８は、撮像素子７を駆動する。Ａ／Ｄ変換回路１９は、撮像素子７から出力されるアナログ画像信号をデジタル画像信号に変換する。信号処理回路２０は、デジタル画像信号に対して信号処理を施す。
【００１９】
ＲＡＭ２１は、デジタル画像信号等を一時的に保存する。ＲＯＭ２２は、デジタルカメラ１０１を制御するための制御プログラム等を格納する。メモリーカード２３は、デジタル画像信号を最終的に記録する記録媒体である。ＣＰＵ２４は、デジタルカメラ１０１の各部の制御を司る中央演算処理装置である。背面液晶表示部（ＬＣＤ）２５は、撮像したデジタル画像信号に対応する撮影画像の表示や撮影パラメータ変更等のメニュー表示、又はライブビュー画像の表示等を行う。
【００２０】
スイッチ入力部２６は、図３に示すシャッタボタン３７で操作されるレリーズスイッチ（レリーズＳＷ）、各種機能ボタン、図３に示す選択サブダイヤル３８、電源スイッチ等の各種ボタンの操作に連動して信号の入力を行う。スイッチ入力部２６は、ユーザにより該当ボタンが操作されると、対応する信号をＣＰＵ２４に送出する。レリーズＳＷは、２つ以上の接点を有するスイッチから構成され、例えば押下される量に応じて状態が２段階に切り替わる構造となっている。レリーズＳＷを途中まで押下した場合には第１の接点（ＳＷ１）が選択され、最後まで押下した場合には第２の接点（ＳＷ２）が選択される。ＳＷ１が選択された場合にはＡＦ（自動焦点調節）やＡＥ（自動露出調節）等の撮影準備動作が行われ、ＳＷ２が選択された場合には撮影動作及びデジタル画像信号の作成動作及び記録動作が行われる。
【００２１】
携帯端末通信部２７は、ＬＡＮ（Local Area Network）やＵＳＢ（Universal Serial Bus）等のインタフェースを有し、携帯端末１０６のような外部機器と接続される。これにより、デジタルカメラ１０１で撮影した画像の外部機器への送信や、外部機器からのデジタルカメラ１０１の遠隔制御等を可能としている。デジタルカメラ１０１の駆動源となる電源２８は、一般的にはリチウムイオン電池等の充電型の電源が用いられる。レンズ通信部３０は、レンズユニット１０２と通信を行い、携帯端末１０６から通知されたズーム制御指示に基づく指示をレンズユニット１０２に送信する。
【００２２】
図４は、本実施形態のデジタルカメラ１０１の背面側の外観図である。デジタルカメラ１０１の筐体の上面部には、シャッタボタン３７が配設されている。また、筐体の背面部には、選択サブダイヤル３８、ライブビュー開始／終了ボタン４２、撮影画像の確認用及び機能メニュー表示用の背面液晶表示部２５が配設されている。各種スイッチやダイヤル等の操作情報はスイッチ入力部２６からＣＰＵ２４に送られ、状態や操作されたボタンの状況に応じてＣＰＵ２４がデジタルカメラ１０１を統括的にコントロールする。
【００２３】
＜パワーズームアダプターの構成＞
図５は、本実施形態におけるパワーズームアダプター１０３の構成を示すブロック図である。図５において、パワーズームアダプター１０３は、ＣＰＵ５００、モータドライバ５０５、ギヤ駆動部５０３、ＲＯＭ５０１、ＲＡＭ５０２、レンズ通信部５０４を備える。ＣＰＵ５００は、パワーズームアダプター１０３の動作を統括的に制御する。ギヤ駆動部５０３はモーターを有し、ＣＰＵ５００の指示により、モータドライバ５０５を介して駆動制御される。パワーズームアダプター１０３がレンズユニット１０２に装着されると、ギヤ駆動部５０３がレンズユニット１０２のズームレンズ群１を駆動するギヤに噛み合い、モーターの回転によりズームレンズ群１をレンズユニット１０２の光軸方向に駆動する。ＲＡＭ５０２は、ＣＰＵ５００の作業領域として用いられる。ＲＯＭ５０１は、ＣＰＵ５００が実行する制御プログラムを記憶している。レンズ通信部５０４は、レンズユニット１０２のアダプター通信部３１と通信を行う。これにより、レンズユニット１０２とパワーズームアダプター１０３の間で制御コマンドを送受信することが可能となる。具体的には、ズーム制御指示を受信したり、パワーズームアダプター１０３の状態を送信したりする。
【００２４】
＜携帯端末の構成＞
図６は、本実施形態における携帯端末１０６の構成を示すブロック図である。携帯端末１０６としては、スマートフォンやタブレット端末以外にも、携帯電話機、ＰＤＡ（Personal Digital Assistant）、携帯型ＡＶプレイヤー、電子ブック、電子辞書等がある。携帯端末１０６は、ＣＰＵ６００、フラッシュメモリ６０１、ＲＡＭ６０２を備える。また、内蔵カメラ６０３、マイク６０４、スピーカ６０５、イヤホン６０６、タッチパネル６１０、液晶表示部６１１、スイッチ６１２、カメラ通信部６１３、外部インタフェース６１４、電源６１５を備える。さらに、ＧＰＳ（Global Positioning System）センサ６０７や電子コンパス６０８等を備えるものもある。その他に、通話用のアンテナや通話用の通信モジュール等を備えていてもよい。
【００２５】
ＣＰＵ６００は、携帯端末１０６で実行される処理を統括的に制御する。ＲＡＭ６０２は、ＣＰＵ６００の作業領域として用いられ、ＣＰＵ６００が処理するコンテンツ等の各種データや、各種アプリケーションのプログラムを一時的に格納する。フラッシュメモリ６０１は、内蔵カメラ６０３により撮像されたデジタル写真画像や動画像等の各種コンテンツ、ＣＰＵ６００が実行する各種制御プログラムや各種アプリケーションプログラムを記憶する。液晶表示部６１１は、例えばＴＦＴ（Thin Film Transistor）等のＬＣＤやＯＥＬＤ（Organic Electro-Luminescence Display）であり、アプリケーションＵＩ（User Interface）を表示する。また、液晶表示部６１１はタッチパネル６１０と一体的に設けられている。タッチパネル６１０は、アプリケーションの実行により液晶表示部６１１に写真やＧＵＩ（Graphical User Interface）が表示された状態において、ユーザのタッチ操作を検出し、ＣＰＵ６００に伝える。タッチパネル６１０の動作方式としては、例えば抵抗被膜方式や静電容量方式が用いられるが、その他の方式が用いられてもよい。タッチパネル６１０は、例えば写真表示アプリケーションの実行中に、ユーザが写真を選択して全画面表示したり、ピンチインやピンチアウトにより画像を拡大、縮小したりすることも可能にしている。
【００２６】
スイッチ６１２は、例えば電源スイッチ、起動ボタン等、タッチパネル６１０では入力できないユーザの操作等を受け付け、入力信号をＣＰＵ６００に伝える。イヤホン６０６及びスピーカ６０５は、フラッシュメモリ６０１等に記録された、又はカメラ通信部６１３、外部インタフェース６１４等から入力された音声信号を出力する。カメラ通信部６１３は、インターネットやＬＡＮ等のネットワークを介して、デジタルカメラ１０１との間で通信処理を行う。カメラ通信部６１３は、無線ＬＡＮモジュールを備えていてもよいし、ＷＷＡＮ（Wireless Wide Area Network）モジュールを備えていてもよい。外部インタフェース６１４は、例えばＵＳＢやＨＤＭＩ（High-Definition Multimedia Interface）等の各種規格に準じて、アプリケーションやコンテンツデータのやり取りを行う。電源６１５は、携帯端末１０６用の電源であり、一般的にはリチウムイオン電池等の充電型の電源が用いられる。
【００２７】
次に、本実施形態における撮像システムの動作について説明する。
【００２８】
＜ライブビュー表示＞
デジタルカメラ１０１では、構図を確認する方法として、従来のフイルムカメラと同様にピント板に結像した画像をファインダで確認する方法の他に、撮像素子７に結像した画像をリアルタイムに背面液晶表示部２５に表示して確認する方法がある。この方法を一般にライブビュー表示と呼ぶ。デジタルカメラ１０１でライブビュー表示を行う場合、ライブビュー開始／終了ボタン４２を押下することによりライブビュー表示モードに切り替わり、デジタルカメラ１０１は撮像素子７で結像した画像をリアルタイムに背面液晶表示部２５に表示する。これにより、ユーザは画像全体の構図等を見ながらデジタルカメラ１０１を移動させたりズームをしたりすることで、アングル調整を行うことができる。このとき、主ミラー４は退避状態に設定されるとともにシャッタ６は開かれ、撮像素子７に被写体像が投影される。すなわち、ファインダ光路は遮断され、光学ファインダでの被写体確認はできなくなる。
【００２９】
＜携帯端末でのリモートライブビュー表示＞
ライブビュー表示は、上述したようにデジタルカメラ１０１単体で行うだけでなく、デジタルカメラ１０１に接続された外部機器の表示部においても行うことができる。例えば外部機器として携帯端末１０６の液晶表示部６１１で被写体を確認しながら遠隔撮影操作を行うこともできる。この場合、デジタルカメラ１０１は、撮像素子７で生成された画像から外部装置への出力用のライブビュー画像を生成し、逐次携帯端末１０６からの要求に応じてライブビュー画像を送信する。携帯端末１０６では、逐次受信したライブビュー画像をリアルタイムに液晶表示部６１１に表示する。この方法をリモートライブビュー表示と呼ぶこととする。リモートライブビュー表示の場合も、ユーザは表示されるライブビュー画像で構図を見ながらズームをしたりすることで、アングル調整を行うことができる。
【００３０】
＜リモートライブビュー表示アプリケーション＞
図７は、本実施形態における携帯端末１０６を利用したリモートライブビュー表示アプリケーションの操作及び表示画面の例を示す図である。
【００３１】
リモートライブビュー表示アプリケーションが起動されると、起動されたアプリケーションは、図７（ａ）に示すように、液晶表示部６１１にＧＵＩを表示させる。これにより、ユーザは被写体の確認やズーム制御を行うことができる。携帯端末１０６においてリモート表示機能が実行されると、デジタルカメラ１０１は、リモートライブビュー表示アプリケーションからの指示によりライブビュー画像の携帯端末１０６への送信を開始する。送信されたライブビュー画像はリモートライブビュー画面７０１に表示される。リモートライブビュー画面７０１は、携帯端末１０６においてはファインダに相当する。デジタルカメラ１０１の撮像素子７により生成された画像をライブビュー画像として表示することを繰り返すことで、ライブビュー画像をリアルタイムで表示させることができる。これにより、ユーザは遠隔操作においてもカメラの操作と同様に被写体の確認を行うことができ、構図確認が可能となる。また、リモートライブビュー画面７０１で構図を確認し、ズーム制御を行うこともできる。
【００３２】
液晶表示部６１１にリモートライブビュー開始／終了ボタン７０２が配置され、カメラ背面のライブビュー開始／終了ボタン４２と同様にデジタルカメラ１０１のライブビュー機能の開始と終了を遠隔操作でコントロールすることができる。また、ズーム制御ボタン７０３を操作することでズームインやズームアウトが可能となる。ズーム位置表示バー７０４は、現在表示しているライブビュー画像に対するズーム位置を表示している。
【００３３】
図７（ｂ）において、ズームアウトする際の操作について説明する。ズーム制御ボタン７０３を押下したまま図中左方向にずらすとズームアウトが開始（移動開始）されてズーム位置がワイド側に移動していき、リモートライブビュー画面７０１に表示される被写体は次第に小さくなっていく。その際に、ズーム位置表示バー７０４に表示されるズーム位置も次第に図中左方向にずれていく。さらに、ズーム制御ボタン７０３を押下状態から離すと、ズーム位置の移動が停止する。
【００３４】
図７（ｃ）において、ズームインする際の操作について説明する。ズーム制御ボタン７０３を押下したまま図中右方向にずらすとズームインが開始されてズーム位置がテレ側に移動していき、リモートライブビュー画面７０１に表示される被写体は次第に大きくなっていく。その際に、ズーム位置表示バー７０４に表示されるズーム位置も次第に図中右方向にずれていく。さらに、ズーム制御ボタン７０３を押下状態から離すと、ズーム位置の移動が停止する。
【００３５】
このようにして、リモートライブビュー表示アプリケーションにより、構図確認やズーム制御を行うことができる。
【００３６】
＜リモートライブビュー表示における全体システム＞
図８は、本実施形態における携帯端末１０６を利用したリモートライブビュー表示を行う全体システムの例を示す図である。
【００３７】
まず、図８（ａ）を参照して、リモートライブビュー表示アプリケーションでライブビュー画像を表示する際のシステム構成について説明する。デジタルカメラ１０１からレンズユニット１０２にズーム位置取得の要求をする。レンズユニット１０２は、ズームエンコーダ３２によりズーム位置を検出し、検出したズーム位置の情報をデジタルカメラ１０１に通知する。デジタルカメラ１０１は撮像素子７上に結像された被写体像から外部装置への出力用のライブビュー画像を生成し、生成されたライブビュー画像にレンズユニット１０２から通知されたズーム位置の情報を付帯させて携帯端末１０６に送信する。この時にライブビュー画像に付帯させるズーム位置の情報は、携帯端末１０６に送ろうとしているライブビュー画像がデジタルカメラ１０１で撮像されたタイミングにおけるズーム位置に対応するものとする。ライブビュー画像とズーム位置の同期の取り方は、画像とズーム位置に取得した時刻がわかるような識別子を付けて管理する等の方法があるが特に方法は問わない。
【００３８】
次に、図８（ｂ）を参照して、リモートライブビュー表示アプリケーションでズーム制御を行う際のシステムについて説明する。携帯端末１０６からデジタルカメラ１０１にズーム指示をする。デジタルカメラ１０１はこの指示を受け、レンズユニット１０２にこのズーム指示を送る。レンズユニット１０２もこの指示を受け、さらにこの指示をパワーズームアダプター１０３に送る。パワーズームアダプター１０３はギヤ駆動部５０３内のモーターを回転させてレンズユニット１０２のズームレンズ群１を光軸方向に駆動させ、ズーミングを行う。このように、携帯端末１０６、デジタルカメラ１０１、レンズユニット１０２、パワーズームアダプター１０３が連携してライブビュー画像の表示を行ったり、ズーム指示を行ったりする。
【００３９】
＜ズーム制御におけるタイムラグ＞
図９は、携帯端末１０６を利用したリモートライブビュー表示アプリケーションでのズーム制御の操作遅延の例を示す図である。携帯端末１０６を利用してズーム制御を行う場合、図８で説明したように携帯端末１０６からデジタルカメラ１０１、レンズ１０２を介してパワーズームアダプター１０３に指示が届く。そのため、ユーザがズーミングの開始指示を出してから実際にズーミングが開始されるまで、あるいはユーザがズーミングの停止指示を出してから実際にズーミングが停止されるまでにタイムラグが発生する。特に、携帯端末１０６とデジタルカメラ１０１間はネットワークを介して接続されるため、特にタイムラグが発生しやすい。
【００４０】
図９（ａ）において、ズーム制御ボタン７０３を押下したまま右にずらすとズームインが開始されズーム位置がテレ側に移動していき、リモートライブビュー画面７０１に表示される被写体は次第に大きくなっていく。また、ズーム位置表示バー７０４に表示されるズーム位置も次第に図中右方向にずれていく。その後、ユーザは図９（ｂ）に示したズーム位置においてズームを停止したいと考え、ズーム制御ボタン７０３を押下状態から離したとする。この場合、ユーザがズームの停止を指示しても、その指令はネットワークを介してデジタルカメラ１０１に届く。そのため、ユーザの停止指示のタイミングからタイムラグを持ってデジタルカメラ１０１、結果的にはパワーズームアダプター１０３がズームの停止指示を受け取ることになる。そして、ズームは図９（ｃ）に示すように、ユーザが停止したいと意図した図９（ｂ）の位置を通り越し、リモートライブビュー画面７０１に表示される画像はより拡大された画像となる。また、ズーム位置表示バー７０４に表示されるズーム位置も停止指示のタイミングの位置よりも図中右側にずれた位置となる。このように、携帯端末１０６を利用してズーム制御を行う場合、特にネットワークを介して制御を行う場合には、タイムラグが発生し、意図した構図にならない場合がある。以下、これを防止する方法について説明する。
【００４１】
＜ズーム制御方法＞
図１０Ａ〜図１０Ｈは、本実施形態における携帯端末１０６を利用したリモートライブビュー表示アプリケーションでのズーム制御シーケンスを示すフローチャートである。具体的には、リモートでズームを制御してもタイムラグが発生することでずれが生じてしまうことなく、ユーザの意図した構図でズームを停止させるためのズーム制御方法を示している。
【００４２】
図１０Ａ〜図１０Ｄを参照して、ライブビュー画像表示の動作について説明する。なお、図１０Ａのフローチャートの動作は、例えばライブビューの１フレームの画像が撮像されるごと（例えば１／３０秒間隔ごと）に繰り返されるものとする。
【００４３】
まず、リモートライブビュー表示アプリケーションが起動されると、カメラ側では、図１０Ａに示すように、ステップＳ１００１において、ＣＰＵ２４がレンズ通信部３０を介してレンズユニット１０２からレンズ情報を取得する。レンズ情報とは、ズーム位置やパワーズームアダプター（図ではＰＺＡと記載する）１０３の装着有無などの情報である。ステップＳ１００２において、ＣＰＵ２４はレンズ情報を参照しパワーズームアダプター１０３の装着有無を確認する。ステップＳ１００３において、ＣＰＵ２４はパワーズームアダプター１０３が装着されているか否かを判断する。装着されていない場合は、ステップＳ１００４を実施しない。装着されている場合はステップＳ１００４において、ＣＰＵ２４はレンズ通信部３０２を介してレンズユニット１０２からパワーズームアダプター情報を取得する。パワーズームアダプター情報とはパワーズームアダプター１０３の駆動状態（駆動中／停止中）や駆動方向などの情報である。
【００４４】
ステップＳ１００５において、ＣＰＵ２４はライブビュー画像に付帯情報を付けて携帯端末通信部２７を介して携帯端末１０６に送信する。付帯情報とは、レンズ情報とパワーズームアダプター情報である。ステップＳ１００６においてＣＰＵ２４はある一定時間（例えば１フレームの時間）経過したことを確認する。経過したらステップＳ１００１に戻り、ステップＳ１００１〜ステップＳ１００６を繰り返す。
【００４５】
一方、レンズ側では、図１０Ｂに示すように、ステップＳ１０１１においてＣＰＵ３５はレンズ情報の取得要求またはパワーズームアダプター情報の取得要求がデジタルカメラ１０１から通知されたかを確認する。通知された場合は、ステップＳ１０１２において、ＣＰＵ３５は通知された取得要求がレンズ情報の取得要求であるかを確認する。レンズ情報の取得要求である場合は、ステップＳ１０１３において、ＣＰＵ３５はカメラ通信部３６を介してデジタルカメラ１０１側にレンズ情報を通知する。レンズ情報の取得要求でない場合は、ステップＳ１０１４において、ＣＰＵ３５はパワーズームアダプター情報の取得要求であるかを確認し、パワーズームアダプター情報でもない場合には、このフローを終了する。パワーズームアダプター情報の取得要求である場合には、ステップＳ１０１５において、ＣＰＵ３５はアダプター通信部３１を介してパワーズームアダプター１０３からパワーズームアダプター情報を取得する。そして、ステップＳ１０１６においてＣＰＵ３５はカメラ通信部３６を介してデジタルカメラ１０１側にパワーズームアダプター情報を通知する。
【００４６】
一方、パワーズームアダプター１０３側では、図１０ＣのステップＳ１０２１において、ＣＰＵ５００はパワーズームアダプター情報の取得要求が通知されたかを確認する。通知された場合は、ステップＳ１０２２において、ＣＰＵ５００はレンズ通信部５０４を介してレンズユニット１０２側にパワーズームアダプター情報を通知する。
【００４７】
最後に、携帯端末１０６側では、図１０ＤのステップＳ１０３１においてＣＰＵ６００はライブビュー画像とその付帯情報を受信したかを確認する。受信した場合はステップＳ１０３２において、ＣＰＵ６００はライブビュー画像の更新をする。ステップＳ１０３３において、ＣＰＵ６００は付帯情報を参照しパワーズームアダプター１０３の装着有無を確認する。ステップＳ１０３４において、ＣＰＵ６００はパワーズームアダプター１０３が装着されているかを判断し、パワーズームアダプター１０３が装着されていない場合は、ステップＳ１０３５においてズーム操作ができないようなＵＩ（ユーザーインターフェイス）に変更する。例えば、ズーム制御ボタン７０３をグレーアウトするなどの処理を行う。パワーズームアダプター１０３が装着されている場合は、ステップＳ１０３６において、ＣＰＵ６００はズーム操作ができるＵＩに変更する。ここでは、パワーズームアダプター情報をやり取りし装着有無に応じてＵＩを変更する方法を説明しているが、パワーズームアダプター情報をやり取りせずＵＩを変更しなくてもよい。
【００４８】
ステップＳ１０３７において、ＣＰＵ６００は付帯情報を参照し、ズーム位置表示バー７０４に表示しているズーム位置を更新する。ステップＳ１０３８において、ＣＰＵ６００は通知された付帯情報にある最新のズーム位置を記憶して保持する。この場合、リモートライブビュー画面７０１に表示されるライブビュー画像は、デジタルカメラ１０１から送られた最新の画像であり、記憶される付帯情報は、この最新の画像が撮像された時点のズーム位置の情報である。なお、ここでは付帯情報が通知される毎にパワーズームアダプター１０３の装着有無を確認し、ＵＩを変更するような方法について説明したが、装着有無に変化があった時のみＵＩを変更するような方法でもよい。
【００４９】
次に、図１０Ｅ〜図１０Ｈを参照して、ズーム制御におけるシーケンスについて説明する。携帯端末１０６側では、ステップＳ１０４１において、ＣＰＵ６００はユーザがズーム制御ボタン７０３を押下したまま右または左にずらしズーム開始指示を行ったかを確認する。ズーム開始指示を行った場合、ステップＳ１０４２において、ＣＰＵ６００はカメラ通信部６１３を介してズーム開始指示をデジタルカメラ１０１に送信する。ステップＳ１０４３において、ＣＰＵ６００はズーム制御ボタン７０３を押下した状態からユーザが指を離してズーム停止指示を行ったかを確認する。ズーム停止指示を行った場合、ステップＳ１０４４において、ＣＰＵ６００はカメラ通信部６１３を介してズーム停止指示をデジタルカメラ１０１に送信する。
【００５０】
ステップＳ１０４５において、ＣＰＵ６００はズーム停止を指示した時点で保持されたズーム位置を取得する。これは、ステップＳ１０３８において保持した最新のズーム位置であり、このズーム位置は、現在携帯端末１０６のリモートライブビュー画面７０１に表示されている画像に対応するズーム位置になる。言い換えれば、ユーザがズームを停止させようと指示した時点で見ていた画像に対応するズーム位置になる。つまり、ズーム停止指示からのタイムラグで、ズームレンズがユーザの意図するズーム位置を通り越してしまっても、この記憶されていたユーザが停止指示をした時点でのズーム位置に戻せば、ユーザが意図した停止位置にズームを位置決めすることができる。本実施形態では、このようにズームが一度目標を通り越してしまっても、目標位置にズームを戻すことにより、ユーザの意図するズーム位置に停止させることができる。以下では、この目標位置に戻す動作について説明する。
【００５１】
ステップＳ１０４６において、ＣＰＵ６００は、ステップＳ１０４５で取得したズーム位置を指定して、カメラ通信部６１３を介してズーム位置指定指示をデジタルカメラ１０１に送信する。ズーム位置指定指示とは、ズーム開始指示やズーム停止指示とは異なり開始や停止のタイミングを指示するのではなく、記憶しておいたユーザが停止させようと意図したズーム位置を指定してズームレンズ群を移動させるものである。
【００５２】
一方、デジタルカメラ１０１側では、図１０ＦのステップＳ１０５１において、ＣＰＵ２４は、ズーム開始指示、ズーム停止指示、ズーム位置指定指示のいずれかのズーム指示を携帯端末１０６から受け取ったかを確認する。受け取った場合、ステップＳ１０５２において、ＣＰＵ２４はレンズ通信部３０を介してレンズユニット１０２にズーム指示を通知する。
【００５３】
また、レンズユニット１０２側でも同じように、図１０ＧのステップＳ１０６１において、ＣＰＵ３５は、ズーム開始指示、ズーム停止指示、ズーム位置指定指示のいずれかのズーム指示をカメラから受け取ったかを確認する。受け取った場合、ステップＳ１０６２にて、ＣＰＵ３５はアダプター通信部３１を介してパワーズームアダプター１０３にズーム指示を通知する。
【００５４】
最後に、パワーズームアダプター１０３側では、図１０ＨのステップＳ１０７１において、ＣＰＵ５００は、ズーム開始指示、ズーム停止指示、ズーム位置指定指示のいずれかのズーム指示をレンズ１０２から受け取ったか確認する。受け取った場合は、ステップＳ１０７２にて、ＣＰＵ５００はズーム指示の通りにギア駆動部５０３によってズームレンズ群１を制御する。この場合、ズーム停止指示を受けた時点で、パワーズームアダプター１０３はズームレンズ群１の移動を停止させる。このとき、パワーズームアダプター１３０が停止指示を受けるタイミングはユーザの停止指示のタイミングからタイムラグを持っているので、ズームレンズ群１が停止する位置は、ユーザが実際に停止させようとした位置を通り過ぎた位置である。そして、このズーム停止指示の後に、携帯端末１０６側から、ユーザがズームを停止しようとした本来のズーム位置を示すズーム位置指定指示がデジタルカメラ１０１に送られる。そして、そのズームの指定位置にズームレンズ群１を戻すことにより、ユーザの意図するズーム位置にズームレンズ群１を位置決めすることができる。
【００５５】
このように、本実施形態によれば、ズーム開始指示、ズーム停止指示を行った後に、ズーム位置指定指示を行うことで、表示されているライブビュー画像に対するズーム位置を指定出来る。そのため、図９で説明したタイムラグの課題が解決され、ユーザが希望したズーム位置が反映できるようになる。つまり、前述したズーム制御を行うことで、ユーザの意図する構図に正確に合わせられるようにズームを制御することが可能になる。
【００５６】
（第２の実施形態）
以下、本発明の第２の実施形態について説明する。第１の実施形態における図１０Ａ〜図１０Ｈで説明したシーケンスと異なる部分について、図１１を用いて説明する。
【００５７】
携帯端末１０６側でのライブビュー画像表示のシーケンスにおいて、ステップＳ１０３１において、ＣＰＵ６００はライブビュー画像及びその付帯情報を受信したかを確認する。受信した場合は、第１の実施形態では無条件にステップＳ１０３２において、ライブビュー画像の更新を行った。これに対し、第２の実施形態ではまず、ステップＳ１０４１において、ＣＰＵ６００はズームの停止制御中かどうかを判断する。具体的にズームの停止制御中とは、ズームの停止指示を行ってからズーム位置指定指示に基づきズーム位置が移動するまでの間のことを指す。判断の仕方としては、受信したライブビュー画像の付帯情報にあるズーム位置を参照しズーム位置指定指示で指定したズーム位置に実際に移動しているかを確認するなどの方法を用いることができる。その判断の結果、指定したズーム位置にまだ移動できておらずズーム停止が完了していなければ、ライブビュー画像の更新をしない。停止制御中でなければステップＳ１０３２においてＣＰＵ６００はライブビュー画像を更新する。
【００５８】
このような制御を行うことで、第１の実施形態ではライブビュー画像が通知される毎に画像の更新をしていたのに対して、ステップＳ１０４４で説明したズーム停止指示をしたタイミングから、ステップＳ１０４６で指示したズーム位置に戻るまで画像の更新を止めることができる。そのため、ズームが行き過ぎてしまってから、ユーザの指示した位置に戻るまでの間に画像が更新されないため、ズームの往復動作が映像に表れることを防止できる。
【００５９】
以上、本発明の好ましい実施形態について説明したが、本発明はこれらの実施形態に限定されず、その要旨の範囲内で種々の変形及び変更が可能である。
【００６０】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６１】
１０１：デジタルカメラ１０１、１０２：レンズユニット、１０３：パワーズームアダプター、１０６：携帯端末
【図１】
0006711580.tif 000002
【図２】
0006711580.tif 000003
【図３】
0006711580.tif 000004
【図４】
0006711580.tif 000005
【図５】
0006711580.tif 000006
【図６】
0006711580.tif 000007
【図７】
0006711580.tif 000008
【図８】
0006711580.tif 000009
【図９】
0006711580.tif 000010
【図１０Ａ】
0006711580.tif 000011
【図１０Ｂ】
0006711580.tif 000012
【図１０Ｃ】
0006711580.tif 000013
【図１０Ｄ】
0006711580.tif 000014
【図１０Ｅ】
0006711580.tif 000015
【図１０Ｆ】
0006711580.tif 000016
【図１０Ｇ】
0006711580.tif 000017
【図１０Ｈ】
0006711580.tif 000018
【図１１】
0006711580.tif 000019